(57)【要約】【課題】本発明の課題は、特に、ＬＡＮケーブル（ＣＡＴ５ｅ、ＣＡＴ６、ＣＡＴ６ａ）用コネクタＲＪ４５に適用される、ケーブル結線構造及びコネクタ付ケーブルに関し、高周波特性及び細径化による柔軟性に優れる結線構造及びコネクタ付ケーブルを提供することにある。【解決手段】本発明のケーブル結線構造は、ケーブル及びＲＪ４５プラグコネクタを結線するためのケーブル結線構造であって、ケーブルは、少なくとも導体及び絶縁体を有し、導体は結線用部材に固定されており、ケーブルは、該結線用部材を介してコネクタと導通することを特徴とする。また、結線用部材は、絶縁部材で覆われていることを特徴とする。【選択図】  図２
2019186051.tif 000002
【特許請求の範囲】
【請求項１】
ケーブル及びＲＪ４５コネクタを結線するためのケーブル結線構造であって、
該ケーブルは、少なくとも導体及び絶縁体を有し、
該導体は結線用部材に固定されており、
該ケーブルは、該結線用部材を介して該ＲＪ４５コネクタと導通することを特徴とするケーブル結線構造。
【請求項２】
該導体は、導電部材により該結線用部材へ固定されることを特徴とする、
請求項１に記載のケーブル結線構造。
【請求項３】
該結線用部材は、絶縁部材で覆われていることを特徴とする、
請求項１又は２に記載のケーブル結線構造。
【請求項４】
該絶縁部材は、絶縁チューブからなることを特徴とする、
請求項３に記載のケーブル結線構造。
【請求項５】
請求項１乃至４のいずれか１項に記載のケーブル結線構造を使用する、ＲＪ４５コネクタ付ケーブル。
【発明の詳細な説明】
【技術分野】
【０００１】
本発明は、特に、ＬＡＮケーブル（ＣＡＴ５ｅ、ＣＡＴ６、ＣＡＴ６ａ）用コネクタＲＪ４５に適用される、ケーブル結線構造及びコネクタ付ケーブルに関する。
【背景技術】
【０００２】
ＬＡＮケーブル用コネクタとしては、従来からＲＪ４５（Ｒｅｇｉｓｔｅｒｅｄ  Ｊａｃｋ  ４５）が広く使用されている。
ＲＪ４５に適用可能なケーブルは、主に８芯のツイストペアケーブルであり、ケーブルのサイズは最外層外径が約５〜８ｍｍ、内部導体はＡＷＧ２４〜２６が主流である。
【０００３】
近年、ＬＡＮ規格の高速伝送化に伴い、ツイストペアケーブルの電線として、従来の絶縁電線の他、同軸ケーブルの使用も見込まれる。同軸ケーブルを使用する場合、特性インピーダンス整合性、及び、内部導体や絶縁体（誘電体）とのサイズ整合性について、ＲＪ４５と不適合となる問題が生じる。
【０００４】
また、ＬＡＮケーブルの使用用途が広がり、ロボットアーム等の産業機器用、あるいは、カメラ用インターフェースとして使用される場合、ケーブルに対して、高周波特性に加え、柔軟性や耐屈曲性・耐捻回性等といった耐久性が求められるため、より細線化したケーブルが好ましく、その結果ＲＪ４５コネクタとケーブル間の適合性について改善が切望されている。
【発明の開示】
【発明が解決しようとする課題】
【０００５】
本発明の課題は、特に、ＬＡＮケーブル（ＣＡＴ５ｅ、ＣＡＴ６、ＣＡＴ６ａ）用コネクタＲＪ４５に適用される、ケーブル結線構造及びコネクタ付ケーブルに関し、高周波特性及び細径化による柔軟性に優れる結線構造及びコネクタ付ケーブルを提供することにある。
【課題を解決するための手段】
【０００６】
発明者は鋭意工夫を重ねた結果、以下により、従来の問題を解消できることを究明した。
（１）  本発明のケーブル結線構造は、
ケーブル及びＲＪ４５コネクタを結線するためのケーブル結線構造であって、
ケーブルは、少なくとも導体及び絶縁体を有し、
導体は結線用部材に固定されており、
ケーブルは、結線用部材を介してＲＪ４５コネクタと導通することを特徴とする。
（２）導体は、導電部材により結線用部材へ固定されることが好ましい。
（３）結線用部材は、絶縁部材で覆われていることが好ましい。
（４）絶縁部材は、絶縁チューブからなることが好ましい。
（５）以上の結線構造を使用することを特徴とする、ＲＪ４５コネクタ付ケーブルである。
【発明の効果】
【０００７】
本発明のケーブル結線構造及びコネクタ付ケーブルにあっては、以下の優れた効果が期待できる。
（１）ケーブルの導体は、結線用部材を介してＲＪ４５コネクタに導通されるため、細径化等により、本来、ＲＪ４５コネクタに適合しないサイズのケーブルとの導通が可能となる。
（２）ケーブルの設計自由度が増す。
（３）結線用部材は、絶縁部材で覆われている場合、内部導体の干渉が防止され、電気特性（高周波特性）に優れる。
【図面の簡単な説明】
【０００８】
【図１】ＲＪ４５コネクタの一例を示す図である。
【図２】本発明の結線用部材の一例を示す図である。
【図３】本発明の絶縁部材の一例を示す図である。
【図４】ＬＡＮケーブル構造の一例を示す図である。
【図５】柔軟性試験方法を示す図である。
【発明を実施するための形態】
【０００９】
以下、本発明のケーブル結線構造について、添付図面を参照しながら説明する。
本発明のケーブル結線構造は、主にＲＪ４５コネクタにおいて有効である。図１は、ＲＪ４５コネクタ（プラグ）１の一例であり、２はコネクタ本体、３はプラグインサートである。
プラグインサート３はＬＡＮ用ケーブルを構成する電線の１本１本をコネクタ本体２へ差し込むためのガイドの役割を担う部材である。
ＲＪ４５コネクタ１は、ＡＮＳＩ／ＴＩＡ−９６８−Ａに規定される８Ｐ８Ｃモジュラーコネクタであり、特に限定されない。
ケーブルとコネクタ間の接続部（かしめ部）の保護のため、保護部材を用いてもよい（図示せず）。
【００１０】
本発明品の特徴は、ケーブルが結線用部材４を介してコネクタ本体２と導通されることである。結線用部材４を用いることで、細径化等により、本来、ＲＪ４５コネクタに適合しないサイズのケーブルとの導通が可能となる。
【００１１】
以下に、本発明の特徴である結線用部材４によるケーブル結線構造について述べる。
【００１２】
結線用部材４は、ケーブルを構成する導体の先端に固定される。
固定方法は特に限定しないが、結線用部材を専用冶具により加圧、圧縮して導体へかしめる方法の他、はんだ等の導電部材を溶融させ導体と固着する方法が挙げられる。
結線用部材への固定強度の観点で、導体は、導電部材により結線用部材へ固定（固着）されることが好ましい。
【００１３】
はんだの材質については特に限定されないが、鉛及び錫の共晶はんだ、錫、銀及び銅からなる鉛フリーはんだ、その他、亜鉛、ビスマス、インジウムを含むはんだ等が挙げられる。環境に配慮し鉛フリーはんだが好ましいが、融点が高い問題がある。誘電体にふっ素樹脂を用いる場合、鉛フリーはんだを用いることが可能となり、さらに好ましい。
導電部材の量については特に限定されず、隙間なく密に充填されることが好ましい。
接合部に隙間がないと、局所的に電気的な不整合部分が生じず、伝送信号の反射損失を低く抑えられ、高周波特性に優位である。
【００１４】
結線用部材４の構造は、ケーブルの導体及びコネクタ本体が導通されれば特に限定されない。結線用部材４間の電気的な干渉防止の観点で、結線用部材４は細径であることが好ましい。
また、結線用部材４の配列方法についても特に限定されないが、ストレート型（図２（ａ））、千鳥型（図２（ｂ））等が挙げられる。
【００１５】
さらに、結線用部材４間の干渉防止の観点で、結線用部材４の上に、絶縁部材５を被覆することが好ましい。
絶縁部材５の構造は、特に限定されないが、図３（ａ）は、結線用部材４に絶縁部材５として絶縁チューブを被覆した例であり、図３（ｂ）は、結線用部材４を一括被覆する構造の絶縁部材５である。図３（ｂ）は例えば、インサート成型等で予めコネクタ本体２と適合する形状に成型される絶縁部材５であり、結線用部材４は絶縁部材５に設けられた孔に差し込んで固定される。その他、絶縁材料をコーティングする、絶縁性シートを挟持する方法等、挙げられる。
【００１６】
ケーブルの構成については、図４にＬＡＮケーブル６の一例を示すが、これに限定されない。
ＬＡＮケーブル６は、２芯のツイスト線７をさらに４本撚り合わせた合計８芯の電線からなるケーブルである。
【００１７】
ＬＡＮケーブル６を構成する１芯の電線（ケーブル）は、従来、導体と絶縁体からなる絶縁電線８（図４（ａ））が一般的であるが、近年は高速伝送化に伴い、シールドを有する同軸ケーブル９（図４（ｂ））の使用も見込まれる。
【００１８】
同軸ケーブル９は、少なくとも内部導体、絶縁体（誘電体）、外部導体から構成され、必要に応じて外層を有する。
高周波特性に優れる点において、特に好ましくは同軸ケーブルである。
【００１９】
ツイストケーブルを構成する各ケーブルは、絶縁電線８及び同軸ケーブル９のどちらか一方のみから構成されてもよいが、両方から構成されてもよく、その組み合わせは特に限定されない。
【００２０】
導体外径は特に限定されないが、柔軟性の観点で、ＡＷＧ２６以下が好ましく、さらに好ましくはＡＷＧ２８以下、最も好ましくはＡＷＧ３０以下である。
同軸ケーブル９から構成される場合、絶縁電線８と導体の外径が同じ場合、絶縁電線８と比べて絶縁体（誘電体）外径を大きくする必要があるが、本発明の結線用部材４を用いることで、絶縁体の外径に関わらず、従来通りＲＪ４５コネクタに適合させることができる。
【００２１】
合計８芯の撚り電線の上には、適宜、シールド、外層等が施される。
図４におけるＬＡＮ用ケーブル６の一例において、１０は介在、１１は樹脂テープ巻き層、１２は金属テープ巻き層、１３は金属編組シールド層、１４は樹脂テープ層、１５は外層（樹脂層）である。
【実施例】
【００２２】
以下、本発明のケーブル結線構造及びコネクタ付ケーブルについて、実施例を挙げさらに具体的に説明するが、本発明の範囲等について、これらに限定されるものではない。
【００２３】
使用されるコネクタは、市販の汎用ＲＪ４５である。
実施例１で用いるＬＡＮ用ケーブル６は、絶縁電線８のツイスト線７をさらに４本撚り合わせた構造である。
絶縁電線８の構造について、導体外径はＡＷＧ２６、絶縁体外径（最外層径）は６．６ｍｍである。
本発明の特徴である結線用部材４は、絶縁電線８の導体に、錫、銀及び銅からなる鉛フリーはんだにより固定した後、プラグインサート３を介して、ＲＪ４５コネクタ本体へ装着する。
実施例２は、実施例１のうち、絶縁電線８の構造について、導体外径はＡＷＧ３０、絶縁体外径（最外層径）は４．１ｍｍである。
実施例３は、実施例１のうち、ＬＡＮ用ケーブル６は、同軸ケーブル９のツイスト線７をさらに４本より合わせた構造である。
同軸ケーブル９の構造について、内部導体外径はＡＷＧ２６、誘電体外径は１．５ｍｍ、最外層径は８．４ｍｍからなる特性インピーダンス５０Ωの同軸ケーブルである。
実施例４は、実施例３のうち、同軸ケーブル９の構造について、内部導体外径はＡＷＧ３０、誘電体外径は０．９６ｍｍ、最外層径は６．３ｍｍからなる特性インピーダンス５０Ωの同軸ケーブルである。
比較例１〜４は、実施例１〜４のうち、ケーブルの導体は、結線用部材４を使用せず、直接、ＲＪ４５に結線する。
【００２４】
実施例１〜４、及び、比較例１〜４について、引張強度、高周波特性、柔軟性について、評価した結果を表１に示す。
【００２５】
各評価における測定方法について、以下に示す。
（引張強度）
引張強度とは、ＲＪ４５及びケーブル間の接続部の強度（かしめ部保持強度）を測定するものである。
測定サンプルは、ＲＪ４５コネクタ付ケーブルである。
測定サンプルのケーブル部分とコネクタ部分をそれぞれ、引張試験機のチャック部分に固定する。チャック間距離は１００ｍｍとする。
測定サンプルの両方向に向かって、引張速度５００ｍｍ/ｍｉｎにて引張り、コネクタ及びケーブル間の固定箇所が破損する際の強度（最大強度）を測定する。
引張試験機は、（株）ＯＲＩＥＮＴＥＣ製ＳＴＡ−１１５０を用いる。
（高周波特性）
高周波特性は、挿入損失、反射損失、近端漏話について測定する。
測定器については、ＬＡＮケーブル用アナライザー（フルーク製ＤＴＸ−１８００）を用い、サンプル長は５ｍである。
測定方法は、規格『ＴＩＡ  Ｃａｔ  ５ｅ  Ｃｈａｎｎｅｌ』に基づく。
（柔軟性）
柔軟性の測定方法について、図５に示す。
サンプルは、台より１００ｍｍ延出した状態で台へ固定する。
延出したサンプルの先端に荷重１００ｇをつけ、垂らした状態で、台とサンプルの先端との距離を測定する。
（総合評価）
引張強度、高周波特性、及び、柔軟性の観点で、総合的に判断する。
現行品の従来例１を○とし、高周波特性及び柔軟性の両特性に優れる場合◎、同等の場合を○とする。
【００２６】
（表１）
2019186051.tif 000003
【００２７】
本発明の特徴である、結線用部材を使用する実施例１は、結線用部材を用いない従来例１と同等の各特性を示し、良好である。
実施例２〜４は、結線用部材を用いることで、ＲＪ４５への結線が可能となる。（従来例２〜４参照）
引張強度について、ＲＪ４５及びケーブル間の接続部の強度（かしめ部保持強度）は、ケーブルの細径化の影響はなく良好である。
高周波特性について、同軸ケーブルを使用するＬＡＮケーブルは、絶縁電線と比較して挿入損失に優れており、反射損失や近端漏話は同等である。
柔軟性について、細径化した方が柔軟性に優れている。
以上より、同軸ケーブルを使用し、かつ、細径化される実施例４が、高周波特性及び柔軟性の観点で最も優れており、次に、絶縁電線を使用し、かつ、細径化される実施例２が優れていると言える。
【産業上の利用可能性】
【００２８】
本発明は、高周波特性及び細径化による柔軟性に優れる結線構造及びコネクタ付ケーブルであり、ＲＪ４５に限らず様々なコネクタへの結線構造において、幅広く使用可能である。
【符号の説明】
【００２９】
１  ＲＪ４５コネクタ
２  コネクタ本体
３  プラグインサート
４  結線用部材
５  絶縁部材
６  ＬＡＮ用ケーブル
７  ツイスト線
８  絶縁電線
９  同軸ケーブル
【図１】
2019186051.tif 000004
【図２】
2019186051.tif 000005
【図３】
2019186051.tif 000006
【図４】
2019186051.tif 000007
【図５】
2019186051.tif 000008